(57)【要約】【課題】本発明は、堆肥化装置本体▲１▼内部で堆肥化有機物▲４▼に接触する空気の飽和温度を、堆肥化有機物▲４▼の温度以下に制御し、堆肥化有機物▲４▼と接触するする空気に含まれる水分が堆肥化有機物▲４▼の表面に結露することを防止する有機物堆肥化装置の運転方法【解決手段】堆肥化有機物▲４▼に接触する空気の飽和温度を堆肥化装置本体▲１▼に設置した湿度計▲１３▼と温度計▲１５▼の測定値より計算できる。又、堆肥化装置本体▲１▼に設置した堆肥化有機物温度計▲１４▼にて堆肥化有機物▲４▼の温度を測定する。この計測値より、堆肥化有機物▲４▼に接触する空気の飽和温度を、堆肥化有機物▲４▼の温度以下に成るよう、攪拌装置▲３▼、加温装置▲５▼、送気装置▲６▼、冷却装置▲７▼を制御装置▲１６▼で制御する。又、ダンパーＶ１▲１０▼、ダンパーＶ２▲１１▼、ダンパーＶ３▲１２▼、の開度を変更し供給空気（Ｑ１）を調節し有機物堆肥化装置を運転する【選択図】図１
2004244295.tif 000002
【特許請求の範囲】
【請求項１】
堆肥化温度の平均が４２℃以下の有機物堆肥化装置において、堆肥化装置本体▲１▼内部で堆肥化有機物▲４▼に接触する空気の飽和温度を、堆肥化有機物▲４▼の温度以下に制御する有機物堆肥化装置の運転方法
【請求項２】
堆肥化温度の平均が４２℃以下の有機物堆肥化装置において、堆肥化装置本体▲１▼に堆肥化有機物温度計▲１４▼を設置した有機物堆肥化装置
【請求項３】
堆肥化温度の平均が４２℃以下の有機物堆肥化装置において、堆肥化装置本体▲１▼に堆肥化有機物▲４▼と接触するする空気の飽和温度を測定する為の温度計▲１５▼と湿度計▲１３▼を堆肥化装置本体▲１▼に設置した有機物堆肥化装置
【発明の詳細な説明】
【０００１】
【発明の属する技術】
本発明は、有機物堆肥化装置において、堆肥化有機物▲４▼と接触するする空気に含まれる水分が堆肥化有機物▲４▼の表面に結露することを防止する技術である。
【０００２】
【従来の技術】
従来の技術を図２に示す。従来の有機物堆肥化装置は、堆肥化装置本体▲１▼、駆動装置▲２▼、攪拌装置▲３▼、加温装置▲５▼、送気装置▲６▼、冷却装置▲７▼、温度計▲８▼、制御装置▲９▼、ダンパーＶ１▲１０▼、ダンパーＶ２▲１１▼、ダンパーＶ３▲１２▼、により構成される。
堆肥化装置本体▲１▼の中には堆肥化有機物▲４▼が入れられる。尚、堆肥化の補助材として充填材が添加される場合もある。
堆肥化装置本体▲１▼内部は堆肥化有機物▲４▼と空気を接触させる為の攪拌装置▲３▼が設置されている。攪拌装置▲３▼は駆動装置▲２▼により正転、逆転される。攪拌の方式により有機物堆肥化装置は、縦型、横型、と、堆肥化装置本体▲１▼を回転させるロータリー型がある。
図２の従来技術は横型の場合を示している。
尚、加温装置▲５▼、送気装置▲６▼、冷却装置▲７▼は通常、図２の場所に設置される。
加温装置▲５▼は堆肥化有機物▲４▼より水分を除去する熱量を供給する装置であり、図２は堆肥化装置本体▲１▼を直接加温する方法を示しているが、堆肥化装置本体▲１▼に供給する空気を加温する方法や、堆肥化装置本体▲１▼の中に加温用電球を設置する方法もある。
送気装置▲６▼は堆肥化装置本体▲１▼の中に堆肥化有機物▲４▼を好気性醗酵させるための空気を供給するものである。尚、送気装置▲６▼を吸気側のラインに設置する方法もある。
冷却装置▲７▼は循環空気（Ｑ３）を冷却すると同時に除湿を行い、吸気した空気と混合させ供給空気（Ｑ１）とする。そして、堆肥化有機物▲４▼の醗酵熱により堆肥化有機物▲４▼の温度上昇を気化熱を利用して防止する装置である。尚、供給空気（Ｑ１）の湿度調節は循環空気（Ｑ３）量を調節し冷却装置▲７▼の運転により行う事もできるが、冷却装置▲７▼を供給空気（Ｑ１）と吸気のラインに直接設置する場合もある。
堆肥化有機物▲４▼の温度を低下させる方法として堆肥化装置本体▲１▼の内部に水分を散水する場合もある。
堆肥化有機物▲４▼を好気性醗酵させる為の重要な制御因子は、堆肥化有機物▲４▼の含水率と温度である。従って、堆肥化温度の平均が４２℃（平均とは、２４時間の平均値を言う）以下の有機物堆肥化装置の場合、有機物堆肥化装置の運転は堆肥化装置本体▲１▼内部の温度を最適発酵温度（通常は４２〜２０℃である）になる様、堆肥化有機物▲４▼内部の温度を温度計▲８▼で測定し有機物堆肥化装置の運転を制御している。
堆肥化有機物▲４▼の温度は温度計▲８▼が堆肥化装置本体▲１▼の温度を計測する間接計測である。
堆肥化有機物▲４▼を好気性醗酵させると発熱する。この発熱量により堆肥化有機物▲４▼中の水分を通常９０％より６０％程度に乾燥する。水分蒸発の熱量が不足する場合は加温装置▲５▼を運転し水分の蒸発を促進する。
堆肥化有機物▲４▼より蒸発した水分は堆肥化装置本体▲１▼よりの流出空気（Ｑ２）により堆肥化装置本体▲１▼より搬出される。
流出空気（Ｑ２）を循環使用する場合、循環空気（Ｑ３）は冷却装置▲７▼で冷却されるので水分の一部は冷却装置▲７▼より排出する。
流出空気（Ｑ２）を循環使用しない場合は冷却装置▲７▼とダンパーＶ３▲１２▼のラインは不要となる。
供給空気（Ｑ１）量の調節は送気装置▲６▼で行うか、ダンパーＶ１▲１０▼、ダンパーＶ２▲１１▼、ダンパーＶ３▲１２▼の開度を変更し行う。
制御装置▲９▼は、駆動装置▲２▼、攪拌装置▲３▼、加温装置▲５▼、送気装置▲６▼、冷却装置▲７▼、の運転を温度計▲８▼の測定値により全て自動で制御できる。尚、流出空気（Ｑ２）の温度を測定しこの温度が上昇した時、加温装置▲５▼を停止する運転をしている場合もある。
【０００３】
【発明が解決しようとする課題】
従来の技術は、堆肥化装置本体▲１▼の中で堆肥化有機物▲４▼と接触する空気の状態を、堆肥化有機物▲４▼の温度を温度計▲８▼で測定し有機物堆肥化装置の運転を制御している。その為、堆肥化装置本体▲１▼内部で堆肥化有機物▲４▼に接触する空気の飽和温度は推定できない。従って、堆肥化有機物▲４▼に接触する空気の飽和温度を堆肥化有機物▲４▼の温度以下を目的とした運転はできない。
又、吸気した空気が高温、高湿度になると堆肥化装置本体▲１▼への供給空気（Ｑ１）の飽和温度が把握できないので、供給空気（Ｑ１）の飽和温度が堆肥化有機物▲４▼の温度以上で有機物堆肥化装置を運転する場合もある。
飽和温度が高い供給空気（Ｑ１）が堆肥化有機物▲４▼に接触すると、供給空気（Ｑ１）中の水分は堆肥化有機物▲４▼に結露する。
その結果、堆肥化有機物▲４▼は団子状に成ったり、液状化するので堆肥化が困難となる。又、蒸発水分量が増加し加温装置▲５▼での必要熱量が増加する。
【０００４】
【課題を解決するための手段】
本発明は、堆肥化装置本体▲１▼内部で堆肥化有機物▲４▼に接触する空気の飽和温度を把握することにより、堆肥化有機物▲４▼に接触する空気の飽和温度を堆肥化有機物▲４▼の温度以下で運転ができる。又、堆肥化装置本体▲１▼内部で堆肥化有機物▲４▼と接触するする空気に含まれる水分が堆肥化有機物▲４▼の表面に結露することが防止できる。
【０００５】
【発明の実施形態】
次に本発明の実施形態について説明する
図１は、横型の有機物堆肥化装置を設置した実施例を示す。
有機物堆肥化装置は、堆肥化装置本体▲１▼、駆動装置▲２▼、攪拌装置▲３▼、加温装置▲５▼、送気装置▲６▼、冷却装置▲７▼、制御装置▲１６▼、ダンパーＶ１▲１０▼、ダンパーＶ２▲１１▼、ダンパーＶ３▲１２▼、湿度計▲１３▼、堆肥化有機物温度計▲１４▼、温度計▲１５▼、により構成される。
尚、堆肥化装置本体▲１▼、駆動装置▲２▼、攪拌装置▲３▼、加温装置▲５▼、送気装置▲６▼、冷却装置▲７▼、ダンパーＶ１▲１０▼、ダンパーＶ２▲１１▼、ダンパーＶ３▲１２▼、は従来技術と同様である。
堆肥化装置本体▲１▼内部で堆肥化有機物▲４▼に接触する空気の飽和温度は堆肥化装置本体▲１▼に設置した湿度計▲１３▼と温度計▲１５▼の測定値より飽和水蒸気量曲線を使用し計算できる。
尚、湿度計▲１３▼、温度計▲１５▼は堆肥化装置本体▲１▼内部の空気の湿度、温度を測定する計器であり、図１の供給空気側（一点鎖線）に設置しても良い。又、堆肥化有機物温度計▲１４▼は、堆肥化有機物▲４▼の表面温度を把握する目的であり表面温度計を堆肥化装置本体▲１▼の上部に設置すると良い。尚、堆肥化有機物▲４▼の温度は堆肥化装置本体▲１▼より間接的に測定することもできる。
本発明による有機物堆肥化装置運転制御の一例を下に示す。
３２℃の空気の絶対湿度は３３．８２ｇ／ｍ３である。湿度を７０％とすると空気中の水分量は  ３３．８２ｇ／ｍ３×０．７＝２３．６７ｇ／ｍ３となる。
水分量が２３．６７ｇ／ｍ３の空気の飽和温度は飽和水蒸気量曲線より約２５℃である。即ち、
ケース１
堆肥化装置本体▲１▼に設置した堆肥化有機物温度計▲１４▼の測定値が２５℃、堆肥化装置本体▲１▼内部の空気温度が、温度計▲１５▼の測定値より３２℃の場合。
堆肥化装置本体▲１▼内部の湿度は湿度計▲１３▼の測定値が７０％以上の場合、７０％以下に成る様、冷却装置▲７▼を運転し供給空気（Ｑ１）を除湿するか、吸気した空気の飽和温度が２５℃以下ならば、ダンパーＶ１▲１０▼、ダンパーＶ２▲１１▼、ダンパーＶ３▲１２▼の開度を調節し供給空気（Ｑ１）量を増加する制御を行う。７０％以下ならば送気装置▲６▼の運転を行う。尚、冷却装置▲７▼は空気を冷却すると同時に除湿能力を保有している。
ケース２
堆肥化装置本体▲１▼内部空気の湿度は湿度計▲１３▼の測定値が７０％、温度は温度計▲１５▼の測定値が３２℃の場合。
堆肥化有機物温度計▲１４▼の測定温度が２５℃以下の場合、２５℃以上になるよう加温装置▲５▼で加温するか、堆肥化有機物▲４▼の反応速度を増加させる為、攪拌装置▲３▼の回転数を増加や、ダンパーＶ１▲１０▼、ダンパーＶ２▲１１▼、ダンパーＶ３▲１２▼の開度を調節し供給空気量（Ｑ１）を増加させ、堆肥化有機物▲４▼の温度を上昇させる。２５℃以上の場合、送気装置▲６▼の運転を行う。
ケース３
吸気する空気の状態が気温３２℃、湿度７０％以上の場合。
ダンパーＶ１▲１０▼、ダンパーＶ２▲１１▼、ダンパーＶ３▲１２▼の開度を調節し供給空気（Ｑ１）の湿度を低下させる為、冷却装置▲７▼を運転し除湿する運転を行う。７０％以下の場合、送気装置▲６▼の運転を行う。
以上の如く堆肥化装置本体▲１▼に湿度計▲１３▼、温度計▲１５▼、と堆肥化有機物▲４▼の温度を直接測定できる堆肥化有機物温度計▲１４▼を設置することにより、堆肥化装置本体▲１▼内部で堆肥化有機物▲４▼に接触する空気の飽和温度を、堆肥化有機物▲４▼の温度以下に制御することができる。従って、堆肥化有機物▲４▼と接触するする空気に含まれる水分が堆肥化有機物▲４▼の表面に結露することが防止できる。
制御装置▲１６▼は、駆動装置▲２▼、攪拌装置▲３▼、加温装置▲５▼、送気装置▲６▼、冷却装置▲７▼、の運転を湿度計▲１３▼、温度計▲１５▼、堆肥化有機物温度計▲１４▼の測定値により全て自動で制御できる。尚、流出空気（Ｑ２）の温度を測定しこの温度が上昇した場合加温装置▲５▼の運転を停止することもできる。
この様に堆肥化有機物▲４▼に接触する空気の飽和温度と堆肥化有機物▲４▼の温度を把握することにより、有機物堆肥化装置の運転を理論的に行うことができる。
【０００６】
【発明の効果】
本発明により堆肥化有機物▲４▼と接触するする空気に含まれる水分が堆肥化有機物▲４▼の表面に結露することが防止できるので、堆肥化有機物▲４▼は団子状に成ったり、液状化せず堆肥化が可能となる。又、蒸発水分量が減少するので加温装置▲５▼にて供給する蒸発熱量が減少する。
【図面の簡単な説明】
【図１】本発明の実施形態…横型の有機物堆肥化装置の実施例
【図２】従来技術…横型の有機物堆肥化装置の例
【符号の説明】
▲１▼は堆肥化装置本体、▲２▼は駆動装置、▲３▼は攪拌装置、▲４▼は堆肥化有機物、
▲５▼は加温装置、▲６▼は送気装置、▲７▼は冷却装置、▲８▼は温度計、
▲９▼は制御装置、▲１０▼はダンパーＶ１、▲１１▼はダンパーＶ２、
▲１２▼はダンパーＶ３  ▲１３▼は湿度計、
▲１４▼は堆肥化有機物温度計、▲１５▼は温度計、▲１６▼は制御装置
【図１】
2004244295.tif 000003
【図２】
2004244295.tif 000004